【手続補正書】
【提出日】平成27年8月19日(2015.8.19)
【手続補正１】
【補正対象書類名】明細書
【補正対象項目名】全文
【補正方法】変更
【補正の内容】
【発明の詳細な説明】
【発明の名称】パンツタイプ使い捨ておむつ及びその製造方法
【技術分野】
【０００１】
本発明は、パンツタイプ使い捨ておむつ及びその製造方法に関するものである。
【背景技術】
【０００２】
パンツタイプ使い捨ておむつの一形態として、腹側外装体の両側部と、背側外装体の両側部とが接合されて筒状に形成された外装体と、腹側外装体内面の幅方向中央部から背側外装体内面の幅方向中央部までにわたり設けられた、排泄物を吸収する内装体とを備え、腹側外装体と背側外装体とが股間側で連続せずに離間しているものが知られている（例えば特許文献１〜４参照）。このような外装二分割タイプのものは、脚を通すための脚開口部を打ち抜かなくて済む、又は打ち抜くとしても小面積で済むといった利点がある。すなわち、切離し片（以下、トリムともいう）は廃棄処分されるため、その資材の無駄（以下、トリムロスともいう）を抑えることができるという利点を有している。
【０００３】
これに対して、腹側から背側にかけて一体的な外装体を有する外装一体タイプも知られている（例えば特許文献５，６参照）。
【０００４】
しかしながら、従来のパンツタイプ使い捨ておむつは、外装体の脚周りの縁部のフィット性に改善の余地があった。特に外装二分割タイプのものでは、トリムロスを減らすために、脚開口部の切断面積を減らすほど、脚周りの縁部のフィット性が損なわれるという問題点があった。
【先行技術文献】
【特許文献】
【０００５】
【特許文献１】特表２００７−５１１３２６号公報
【特許文献２】特開２００５−２７９０７７号公報
【特許文献３】特開２０１０−１６２２７７号公報
【特許文献４】特開２０１４−４４９２号公報
【特許文献５】特開２０１１−１８９０６８号公報
【特許文献６】特開平１１−２９０３８０号公報
【発明の概要】
【発明が解決しようとする課題】
【０００６】
そこで、本発明の主たる課題は、外装体の脚周りの縁部のフィット性を向上することにある。
【課題を解決するための手段】
【０００７】
上記課題を解決した本発明は次記のとおりである。
＜請求項１記載の発明＞
腹側外装部分及び背側外装部分を有し、前記腹側外装部分の側縁部と前記背側外装部分の側縁部とが幅方向両側で接合されてウエスト開口部が形成された、外装体と、
前側の部分が前記腹側外装部分の幅方向中央領域に、及び後側の部分が前記背側外装部分の幅方向中央領域にそれぞれ接合され、装着者の股間を通るように設けられた内装体と、を備え、
前記外装体における前記内装体の幅方向両側に位置する部分の縁により、脚開口部の縁の少なくとも一部が形成された、パンツタイプ使い捨ておむつにおいて、
前記腹側外装部分及び背側外装部分の少なくとも一方の外装部分では；
前記側縁部と前後方向に対応する側縁部対応領域の下縁における、前記内装体の幅方向両側に位置する部分が、前記脚開口部の縁をなしており、
前記側縁部対応領域の下側部分は、前記側縁部では前後方向に一回又はジグザグに複数回折り返されて固定された折り返し部分とされるとともに、この折り返し部分から幅方向中央側に向かうにつれて折り返しが次第に下側へ展開していき、幅方向中央部では途中まで又は完全に下側へ展開された状態で前記内装体に対して固定され、かつ
前記折り返し部分から前記内装体における前記折り返し部分より下側の側縁へ向かう方向に沿って伸長状態で固定された細長状の斜め弾性伸縮部材が設けられている、
ことを特徴とするパンツタイプ使い捨ておむつ。
【０００８】
（作用効果）
このように構成されていると、腹側外装部分及び背側外装部分の少なくとも一方において、内装体より側方に位置する脚開口部の縁が側縁部に向かって斜め上向きとなり、かつその縁に沿って斜め弾性伸縮部材が伸長状態で固定されているため、脚開口部の縁が装着者の臀部の周囲や鼠蹊部に沿って緩みなく良好にフィットするようになる。
【０００９】
＜請求項２記載の発明＞
前記外装体は、前記腹側外装部分をなす腹側外装体の両側部と前記背側外装部分をなす背側外装体の両側部とが接合されて形成され、前記腹側外装体と前記背側外装体とが股間側で連続せずに離間されている、請求項１記載のパンツタイプ使い捨ておむつ。
【００１０】
（作用効果）
一般にこのような外装二分割タイプのものでは、トリムロスを減らすために、脚開口部の切断面積を減らすほど、脚周りの縁部のフィット性が損なわれるが、本発明では前述の折り返し部分とその展開による特徴的構造によって、脚開口部の縁が装着者の臀部の周囲や鼠蹊部に沿う形状となるため、後述する製造方法からも判るように、切断を要せずに（切断しても良い）形成することができる。よって、脚開口部の縁を鼠蹊部や臀部の周囲に沿った形状とすることができるものでありながら、外装体の製造におけるトリムロスが無い又は従来よりも少ないものとなる。また、従来は、脚開口部の縁に沿って斜めあるいは曲線状に細長状弾性伸縮部材を配置する場合にはいわゆる揺動取付が行われるが、後述する製造方法からも判るように、本発明では揺動取付を行わずとも斜め方向に細長状弾性伸縮部材を取り付けることが可能となる。
【００１１】
＜請求項３記載の発明＞
前記折り返し部分は、前記少なくとも一方の外装部分の内側に折り返されて形成されている、請求項２記載のパンツタイプ使い捨ておむつ。
【００１２】
（作用効果）
このように内側に折り返し部分が形成されていると、折り返し部分が展開されていく部分は肌から浮き難く、肌にしっかりとフィットするようになる。特に、折り返し部分を背側外装体に形成した場合は、折り返し部分が展開されていく部分は臀部の丸みを覆うような立体的な形状となる。
【００１３】
＜請求項４記載の発明＞
前記折り返し部分は、前記少なくとも一方の外装部分の外側に折り返されて形成されている、請求項２記載のパンツタイプ使い捨ておむつ。
【００１４】
（作用効果）
このように外側に折り返し部分が形成されていると、折り返し部分が展開されていく部分は肌に対して弱い力で優しくフィットするようになる。
【００１５】
＜請求項５記載の発明＞
前記少なくとも一方の外装部分は前記背側外装体であり、前記折り返し部分の折り返し回数が偶数とされている、請求項２〜４のいずれか１項に記載のパンツタイプ使い捨ておむつ。
【００１６】
（作用効果）
この場合、折り返し部分が展開されていく部分が広くなるため、臀部をより広く覆うことができる。この効果は、請求項３記載の発明の場合に特に顕著なものとなる。
【００１７】
＜請求項６記載の発明＞
前記少なくとも一方の外装部分は前記腹側外装体であり、前記折り返し部分の折り返し回数が奇数とされている、請求項２〜４のいずれか１項に記載のパンツタイプ使い捨ておむつ。
【００１８】
（作用効果）
この場合、鼠蹊部に対するフィット性が良好となる。この効果は、請求項３記載の発明の場合に特に顕著なものとなる。
【００１９】
＜請求項７記載の発明＞
前記少なくとも一方の外装部分の形状は、前記折り返し部分を展開した状態では長方形である、請求項２〜６のいずれか１項に記載のパンツタイプ使い捨ておむつ。
【００２０】
（作用効果）
このような形状とすることにより、外装体の製造におけるトリムロスを完全に無くすことができる。
【００２１】
＜請求項８記載の発明＞
前記腹側外装部分の側縁部及び背側外装部分の側縁部の接合が溶着によりなされており、かつ少なくとも前記折り返し部分を有する領域では前記溶着による接合がなされていない、請求項２〜７のいずれか１項に記載のパンツタイプ使い捨ておむつ。
【００２２】
（作用効果）
本発明では側縁部のうち折り返し部分を有する領域ではシートの重なり枚数が多くなる。しかし、腹側外装部分の側縁部及び背側外装部分の側縁部の接合が溶着によりなされる場合、側縁部のシート枚数が局所的に多くなると接合強度にバラツキを生じ、生産性が低下するため好ましくない。よって、上述のように、少なくとも折り返し部分を有する領域では溶着による接合がなされない形態とすると、接合が安定化し、生産性の低下を防止できるため好ましい。
【００２３】
＜請求項９記載の発明＞
帯状に連続するシート材に、その連続方向に沿って細長状弾性伸縮部材を伸長状態で固定してなる腹側伸縮帯及び背側伸縮帯を形成する伸縮帯形成工程と、
前記腹側伸縮帯及び背側伸縮帯をＣＤ方向に間隔を空けて平行に移送しつつ、少なくとも一方の伸縮帯における反対の伸縮帯側の縁側部分を、ＣＤ方向に一回又はジグザグに複数回折り返して固定して折り返し部分を形成する、折り返し工程と、
この折り返し工程の後に、ＭＤ方向に所定の間隔を空けて、前記折り返し部分における最も先端側の折り目より先端側の部分を、反対側の伸縮帯と連結部材で連結する、連結工程と、
この連結工程の後に、前記腹側伸縮帯及び背側伸縮帯のＣＤ方向の相対間隔を拡大することにより、前記折り返し部分のうち前記連結部材で連結された部分を引っ張って前記折り返し部分を途中まで又は完全に展開する、拡幅工程と、
別途製造した内装体をＭＤ方向に間隔を空けて供給し、前記内装体の前側の部分を前記腹側伸縮帯に、及び前記内装体の後側の部分を前記背側伸縮帯にそれぞれ接合するとともに、前記折り返し部分の展開部分を展開状態で前記内装体に固定して、内装組み付け体を形成する、内装体取付工程と、
この内装組み付け体をＣＤ方向に二つ折りする、折り畳み工程と、
個々のおむつの両側部となる部分において前記腹側伸縮帯及び背側伸縮帯を接合するとともに、前記腹側伸縮帯及び背側伸縮帯を個々のおむつの境界において切断して、個々のおむつを得る、側部接合切り離し工程と、
を含むことを特徴とする、パンツタイプ使い捨ておむつの製造方法。
【００２４】
（作用効果）
本製造方法によれば請求項２記載のパンツタイプ使い捨ておむつを製造することができる。よって、請求項２記載の発明と同様の作用効果が奏せられる。なお、用語「ＭＤ方向」とは機械方向（移送方向）を意味し、ＣＤ方向はＭＤ方向と直交する横方向を意味する。
【００２５】
＜請求項１０記載の発明＞
前記折り返し工程で、折り返し回数を偶数とする、請求項９記載のパンツタイプ使い捨ておむつの製造方法。
【００２６】
（作用効果）
この場合、折り返し部分における最も先端側の折り目より先端側の部分が、反対の伸縮体側に向くため、連結部材で折り返し部分を展開する際に連結の剥離方向に力が作用しないため、連結が安定し、捲れや剥離等が発生しにくい。
【発明の効果】
【００２７】
以上のとおり、本発明によれば、外装体の脚周りの縁部のフィット性が向上する等の利点がもたらされる。
【図面の簡単な説明】
【００２８】
【図１】パンツ型使い捨ておむつの内面を示す、おむつを展開した状態における平面図である。
【図２】パンツ型使い捨ておむつの外面を示す、おむつを展開した状態における平面図である。
【図３】図１の３−３断面図である。
【図４】図１の４−４断面図である。
【図５】図１の５−５断面図である。
【図６】パンツ型使い捨ておむつの要部のみを寸法とともに示す、断面図である。
【図７】パンツ型使い捨ておむつの展開状態の正面図である。
【図８】パンツ型使い捨ておむつの展開状態の正面図である。
【図９】パンツ型使い捨ておむつのサンプルの写真である。
【図１０】各種形態における、図８の６−６線位置及び７−７線位置の断面の概略図である。
【図１１】各種形態における、図８の６−６線位置及び７−７線位置の断面の概略図である。
【図１２】各種形態における、図８の６−６線位置及び７−７線位置の断面の概略図である。
【図１３】各種形態における、図８の６−６線位置及び７−７線位置の断面の概略図である。
【図１４】製造フローを示す平面図である。
【図１５】製造フローを示す平面図である。
【発明を実施するための形態】
【００２９】
以下、本発明の一実施形態について添付図面を参照しながら詳説する。
【００３０】
＜パンツ型使い捨ておむつの例＞
図１〜図１０（ａ）は、パンツ型使い捨ておむつの一例を示している。このパンツタイプ使い捨ておむつは、腹側外装体１２Ｆの幅方向両側縁と背側外装体１２Ｂの幅方向両側縁とが、縦方向に沿ってヒートシールや超音波溶着等により接合されて筒状の外装体１２Ｆ，１２Ｂが形成されるとともに、外装体１２Ｆ，１２Ｂにおける腹側外装体１２Ｆの幅方向中央部内面に内装体２００の前端部がホットメルト接着剤等により連結されるとともに、背側外装体１２Ｂの幅方向中央部内面に内装体２００の後端部がホットメルト接着剤等により連結されている。符号１２Ａは腹側外装体１２Ｆと背側外装体１２Ｂとの接合部（サイドシール部）を示している。また、符号Ｙは展開状態におけるおむつの全長（前身頃Ｆのウエスト開口部の縁から後身頃Ｂのウエスト開口部の縁までの縦方向長さ）を示しており、符号Ｘは展開状態におけるおむつの全幅を示している。
【００３１】
内装体２００は、尿等の排泄物等を吸収保持する部分であり、外装体１２Ｆ，１２Ｂは着用者の身体に対して内装体２００を支えるための部分である。なお、図中の点模様部分は各構成部材を接合するホットメルト接着剤を示しているが、対象部材の溶着により接合を行う溶着手段を用いることもできる。ホットメルト接着剤は、ベタ、ビード、カーテン、サミット若しくはスパイラル等のパターンで塗布する他、弾性伸縮部材の固定部分はこれに代えて又はこれとともにコームガンやシュアラップ塗布などの弾性伸縮部材の外周面への塗布を採用することもできる。
【００３２】
外装体１２Ｆ，１２Ｂの上部開口は、装着者の胴を通すウエスト開口部となり、内装体２００の幅方向両側において外装体１２Ｆ，１２Ｂの下縁および内装体２００の側縁によりそれぞれ囲まれる部分が脚を通す脚開口部となる。外装体１２Ｆ，１２Ｂの各溶着部１２Ａを剥がして展開した状態では、図１及び図２に示すように前後方向中間が括れた形状をなす。内装体２００は、背側から股間部を通り腹側までを覆うように延在するものであり、排泄物を受け止めて液分を吸収し保持する部分であり、外装体１２Ｆ，１２Ｂは内装体２００を装着者に対して支持する部分である。
【００３３】
（内装体）
内装体２００は任意の形状を採ることができるが、図示の形態では長方形である。内装体２００は、図３〜図５に示されるように、身体側となるトップシート３０と、液不透過性シート１１と、これらの間に介在された吸収要素５０とを備えているものであり、吸収機能を担う本体部である。符号４０は、トップシート３０を透過した液を速やかに吸収要素５０へ移行させ、逆戻りを防止するために、トップシート３０と吸収要素５０との間に設けられた中間シート（セカンドシート）を示しており、符号６０は、内装体２００の両脇に排泄物が漏れるのを防止するために、内装体２００の両側に設けられた、身体側に起立する立体ギャザー６０を示している。
【００３４】
（トップシート）
トップシート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００３５】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３６】
立体ギャザー６０を設ける場合、トップシート３０の両側部は、液不透過性シート１１と立体ギャザー６０との間を通して、吸収要素５０の裏側まで回りこませ、液の浸透を防止するために、液不透過性シート１１及び立体ギャザー６０に対してホットメルト接着剤等により接着するのが好ましい。
【００３７】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、トップシート３０上を常に乾燥した状態とすることができる。中間シート４０は省略することもできる。
【００３８】
中間シート４０としては、トップシート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３９】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００４０】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、液不透過性シート１１として用いることができる。
【００４１】
液不透過性シート１１は、防漏性を高めるために、吸収要素５０の両側を回りこませて吸収要素５０のトップシート３０側面の両側部まで延在させるのが好ましい。この延在部の幅は、左右それぞれ５〜２０ｍｍ程度が適当である。
【００４２】
また、液不透過性シート１１の内側、特に吸収体５６側面に、液分の吸収により色が変化する排泄インジケータを設けることができる。
【００４３】
（立体ギャザー）
立体ギャザー６０は、内装体２００の両側部に沿って前後方向全体にわたり延在する帯状部材であり、トップシート３０上を伝わって横方向に移動する尿や軟便を遮断し、横漏れを防止するために設けられているものである。本実施の形態の立体ギャザー６０は、内装体２００の側部から起立するように設けられ、付け根側の部分は幅方向中央側に向かって斜めに起立し、中間部より先端側の部分は幅方向外側に向かって斜めに起立するものである。
【００４４】
より詳細には、立体ギャザー６０は、内装体２００の前後方向長さに等しい長さを有する帯状のギャザーシート６２を幅方向に折り返して二つに折り重ねるとともに、折り返し部分及びその近傍のシート間に、細長状弾性伸縮部材６３を長手方向に沿って伸長状態で、幅方向に間隔をあけて複数本固定してなるものである。立体ギャザー６０のうち先端部と反対側に位置する基端部（幅方向においてシート折り返し部分と反対側の端部）は内装体２００の側縁部の裏面に固定された取付部分６５とされ、この取付部分６５以外の部分は取付部分６５から突出する突出部分６６（折り返し部分側の部分）とされている。また、突出部分６６は、幅方向中央側に向かう付け根側部分と、この付け根側部分の先端から幅方向外側に折り返された先端側部分とからなる。この形態は面接触タイプの立体ギャザーであるが、幅方向外側に折り返されない線接触タイプの立体ギャザー（図示略）も採用することができる。そして、突出部分６６のうち前後方向両端部が倒伏状態でトップシート３０の側部表面に対してホットメルト接着剤やヒートシールにより固定された前後固定部６７とされる一方で、これらの間に位置する前後方向中間部は非固定の自由部分とされ、この自由部分に前後方向に沿う細長状弾性部材６３が伸長状態で固定されている。
【００４５】
ギャザーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。また、図示のように、二つに折り重ねたギャザーシート６２の間に防水フィルム６４を介在させることもできる。
【００４６】
立体ギャザー６０の自由部分に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
【００４７】
立体ギャザー６０の取付部分６５の固定対象は、内装体２００におけるトップシート３０、液不透過性シート１１、吸収要素５０等適宜の部材とすることができる。
【００４８】
かくして構成された立体ギャザー６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に起立する。特に、取付部分６５が内装体２００の裏面側に位置していると、股間部及びその近傍において立体ギャザー６０が幅方向外側に開くように起立するため、立体ギャザー６０が脚周りに面で当接するようになり、フィット性が向上するようになる。
【００４９】
立体ギャザー６０の寸法は適宜定めることができるが、乳幼児用紙おむつの場合は、例えば図６に示すように、立体ギャザー６０の起立高さ（展開状態における突出部分６６の幅方向長さ）Ｗ６は１５〜６０ｍｍ、特に２０〜４０ｍｍであるのが好ましい。また、立体ギャザー６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００５０】
なお、図示形態と異なり、内装体２００の左右各側において立体ギャザー６０を二重に（二列）設けることもできる。
【００５１】
（吸収要素）
吸収要素５０は、吸収体５６と、この吸収体５６の全体を包む包装シート５８とを有する。包装シート５８は省略することもできる。
【００５２】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００５３】
吸収体５６は長方形形状でも良いが、図１に示すように、前端部、後端部及びこれらの間に位置し、前端部及び後端部と比べて幅が狭い括れ部とを有する形状を成していると、吸収体５６自体と立体ギャザー６０の、脚回りへのフィット性が向上するため好ましい。
【００５４】
また、吸収体５６の寸法は適宜定めることができるが、前後方向及び幅方向において、内装体の周縁部又はその近傍まで延在しているのが好ましい。なお、符号５６Ｘは吸収体５６の幅を示している。
【００５５】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用でき、例えば５００μｍの標準ふるい（ＪＩＳ Ｚ８８０１−１：２００６）を用いたふるい分け（５分間の振とう）でふるい上に残る粒子の割合が３０重量％以下のものが望ましく、また、１８０μｍの標準ふるい（ＪＩＳ Ｚ８８０１−１：２００６）を用いたふるい分け（５分間の振とう）でふるい上に残る粒子の割合が６０重量％以上のものが望ましい。
【００５６】
高吸収性ポリマー粒子の材料としては、特に限定無く用いることができるが、吸水量（ＪＩＳ  Ｋ７２２３−１９９６「高吸水性樹脂の吸水量試験方法」）が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５７】
高吸収性ポリマー粒子としては、吸水速度（ＪＩＳ  Ｋ７２２４−１９９６高吸水性樹脂の吸水速度試験方法）が４０秒以下のものが好適に用いられる。吸水速度が４０秒を超えると、吸収体５６内に供給された液が吸収体５６外に戻り出てしまう所謂逆戻りを発生し易くなる。
【００５８】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００５９】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００６０】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００６１】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００６２】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。
【００６３】
（股間部カバーシート）
内装体２００における液不透過性シートの裏面には、内装体２００の露出部分の一部（例えば腹側外装体１２Ｆと背側外装体１２Ｂとの間に露出する部分の前後方向全体にわたるが、内装体２００の前後端まで延びず、また幅方向両側縁も内装体２００の両側縁までは達しない程度）又は全体を覆うように、股間部カバーシート１２Ｍを貼り付けることもできる。股間部カバーシート１２Ｍとしては、後述する外装体１２Ｆ，１２Ｂに用いられるものと同様の素材を用いることができる。
【００６４】
（外装体）
外装体１２Ｆ，１２Ｂは、サイドシール部１２Ａを有する縦方向範囲（ウエスト開口部から脚開口部の上端に至る縦方向範囲）として定まる胴周り部Ｔと、脚開口部を形成する部分の前後方向範囲（腹側外装体１２Ｆのサイドシール部１２Ａを有する縦方向領域と背側外装体１２Ｂのサイドシール部１２Ａを有する縦方向領域との間）として定まる中間部Ｌとを有する。胴周り部Ｔは、概念的にウエスト開口部の縁部を形成する「ウエスト縁部」Ｗと、これよりも下側の部分である「ウエスト下部」Ｕとに分けることができる。これらの縦方向の長さは、製品のサイズによって異なり、適宜定めることができるが、一例を挙げると、ウエスト縁部Ｗは１５〜４０ｍｍ、ウエスト下部Ｕは６５〜１２０ｍｍとすることができる。一方、中間部Ｌは省略することもでき、また腹側外装体１２Ｆ及び背側外装体１２Ｂの両方に設けることもできるが、図示形態では背側外装体１２Ｂにのみ中間部Ｌを設け、臀部をカバーする形態を採用している。中間部Ｌの脚側の縁Ｌｅを脚周りに沿うように曲線状に形成すると、脚周りに対するフィット性が良好となる。
【００６５】
外装体１２Ｆ，１２Ｂは、腹側外装体１２Ｆ及び背側外装体１２Ｂからなり、腹側外装体１２Ｆ及び背側外装体１２Ｂは脚側で連続しておらず、離間されている。この離間距離Ｌ８は１５０〜２５０ｍｍ程度とすることができる。
【００６６】
外装体１２は、図３〜図５に示されるように、二枚のシート材１２Ｓ，１２Ｈをホットメルト接着剤等の接着剤により貼り合わせて形成されるものであり、内側に位置する内側シート材１２Ｈはウエスト開口部の縁までしか延在していないが、外側シート材１２Ｓは内側シート材１２Ｈのウエスト側の縁を回り込んでその内側に折り返されており、この折り返し部分１２Ｗは内装体２００のウエスト側端部上までを被覆するように延在されている。
【００６７】
シート材１２Ｓ，１２Ｈとしては、シート状のものであれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１０〜３０ｇ／ｍ2程度とするのが好ましい。
【００６８】
腹側外装体１２Ｆ及び背側外装体１２Ｂには、図２及び図５にも示されるように、両シート材１２Ｓ，１２Ｈ間に胴周りに対するフィット性を高めるための糸ゴム等の細長状弾性伸縮部材１５〜１９が所定の伸長率で設けられている。
【００６９】
細長状弾性伸縮部材１５〜１９としては、合成ゴムを用いても、天然ゴムを用いても良い。外装体１２Ｆ，１２Ｂの両シート材１２Ｓ，１２Ｈの貼り合せや、その間に挟まれる細長状弾性伸縮部材１５〜１９の固定には種々の塗布方法によるホットメルト接着またはヒートシールや超音波接着を用いることができる。
【００７０】
細長上弾性伸縮部材１５〜１９を用いる場合、同じ弾性伸縮部材を一様に設けることもできるが、外装体１２Ｆ，１２Ｂの位置に応じて太さや間隔等を異ならしめることが好ましい。このため図示形態では、ウエスト縁部Ｗには、幅方向全体にわたり連続するように、複数のウエスト縁部弾性伸縮部材１７が上下方向に間隔を空けて、かつ所定の伸長率で幅方向に沿って伸長された状態で固定されている。ウエスト縁部弾性伸縮部材１７のうち、ウエスト下部Ｕに隣接する領域に配設される１本または複数本については、内装体２００と重なっていてもよいし、内装体２００と重なる幅方向中央部より側方に、幅方向に連続するように設けてもよい。このウエスト縁部弾性伸縮部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸長率１５０〜４００％、特に２２０〜３２０％程度で固定するのが好ましい。また、ウエスト縁部弾性伸縮部材１７は、その全てが同じ太さと伸長率にする必要はなく、例えばウエスト縁部Ｗの上部と下部で弾性伸縮部材の太さと伸長率が異なるようにしてもよい。
【００７１】
また、ウエスト下部Ｕには、内装体２００の上側および内装体２００と重なる幅方向中央部より側方に、幅方向に連続する細長状弾性伸縮部材からなるウエスト下部弾性伸縮部材１５，１８が複数本、上下方向に間隔を空けて、かつ所定の伸長率で幅方向に沿って伸長された状態で固定されている。
【００７２】
ウエスト下部弾性伸縮部材１５，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率２００〜３５０％、特に２４０〜３００％程度で固定するのが好ましい。
【００７３】
特徴的には、図１０（ａ）にも示すように、背側外装体１２Ｂにおける中間部Ｌは、側縁部では前後方向に一回又はジグザグに複数回折り返されてホットメルト接着剤等により固定された折り返し部分１２Ｗとされるとともに、この折り返し部分１２Ｗから幅方向中央側に向かうにつれて折り返しが次第に下側へ展開していき、幅方向中央部では途中まで又は完全に下側へ展開された状態で内装体２００に対してホットメルト接着剤等により固定されている。折り返し部分１２Ｗの固定部は符号１２ｋにより示されている。また、折り返し部分１２Ｗから、内装体２００における折り返し部分１２Ｗより下側の側縁へ向かう方向に沿って伸長状態で固定された細長状弾性伸縮部材からなる斜め弾性伸縮部材１９が設けられている。この斜め弾性伸縮部材１９は、内装体２００と重なる幅方向中央部より側方に設けられており、折り返し部分１２Ｗを展開した状態では幅方向に沿うようになる。さらに図示形態では、中間部Ｌにおける上側部分には、内装体２００と重なる幅方向中央部より側方に、幅方向に連続する細長状弾性伸縮部材からなる中間部弾性伸縮部材１６が複数本、上下方向に間隔を空けて、かつ所定の伸長率で幅方向に沿って伸長された状態で固定されている。
【００７４】
このような折り返し及び展開構造に加えて、斜め弾性伸縮部材１９を有していると、背側外装体１２Ｂにおいて、内装体２００より側方に位置する脚開口部の縁Ｌｅが側縁部に向かって斜め上向きとなり、かつその縁に沿って斜め弾性伸縮部材１９が伸長状態で固定されているため、脚開口部の縁Ｌｅが装着者の臀部の膨らみの周囲に沿って緩みなく良好にフィットするようになる。図９（ａ）は、図１〜図８及び図１０（ａ）示す形態のサンプル品をダミー人形に装着した状態の写真であり、図９（ｂ）は折り返し及び展開構造並びに斜め弾性伸縮部材１９を有しない外装二分割構造の市販品をダミー人形に装着した状態の写真である。これらの対比からも分かるように、本発明に係るサンプルは、市販品と比べて、背側外装体１２Ｂにおける脚開口部の縁Ｌｅが臀部の膨らみに対して良好にフィットし、臀部を良好にカバーできるものである。
【００７５】
折り返し部分１２Ｗ及び斜め弾性伸縮部材１９は、図１０（ａ）及び図１３に示すように背側外装体１２Ｂにのみ設ける他、図１０（ｂ）、図１１及び図１２に示すように、腹側外装体１２Ｆ及び背側外装体１２Ｂの両方に設けることも、また、図示しないが、腹側外装体１２Ｆにのみ設けることもできる。
【００７６】
折り返し部分１２Ｗの折り返し方向は、図１０、図１１、図１２（ｂ）、図１３に示す形態のように、おむつの内側とする他、図１２（ａ）に示すようにおむつの外側とすることもできる。前者のように、おむつの内側に折り返し部分１２Ｗが形成されていると、折り返し部分１２Ｗが展開されていく部分は肌から浮き難く、肌にしっかりとフィットするようになる。特に、折り返し部分１２Ｗを背側外装体１２Ｂに形成した場合は、折り返し部分１２Ｗが展開されていく部分は臀部の丸みを覆うような立体的な形状となる。一方、後者のように、おむつの外側に折り返し部分１２Ｗが形成されていると、折り返し部分１２Ｗが展開されていく部分は肌に対して弱い力で優しくフィットするようになる。
【００７７】
折り返し部分１２Ｗの折り返し回数は適宜定めることができるが、図１０、図１１（ｂ）〜図１３に示すように、折り返し部分１２Ｗを背側外装体１２Ｂに設ける場合、折り返し回数を偶数とすると、折り返し部分１２Ｗが展開されていく部分が広くなるため、臀部をより広く覆うことができる。この効果は、特に折り返し部分１２Ｗの折り返し方向がおむつ内側である場合に顕著となる。
【００７８】
また、図１０（ｂ）、図１１（ａ）及び図１２に示すように、折り返し部分１２Ｗを腹側外装体１２Ｆに設ける場合、折り返し回数を奇数とすると、脚開口部の縁Ｌｅが体の表面の谷間に向かって体の丸みに対して巻き込むように入り込んでいくため、鼠蹊部に対するフィット性が良好となる。この効果は、特に折り返し部分１２Ｗの折り返し方向がおむつ内側である場合に顕著となる。
【００７９】
図１０（ｂ）〜図１２（ａ）に示す形態のように、サイドシール部１２Ａは折り返し部分１２Ｗを含めて形成することもできるが、サイドシール部１２Ａを溶着により形成する場合、サイドシール部１２Ａにおけるシートの重なり枚数が局所的に多くなると接合強度にバラツキを生じ、生産性が低下するおそれがある。よって、折り返し部分１２Ｗは、図１０（ａ）、図１２（ｂ）及び図１３に示すように、折り返し部分１２Ｗを有する脚開口部側領域にはサイドシール部１２Ａを形成しないことが好ましい。これにより、サイドシール部１２Ａの接合が安定化し、生産性の低下を防止できるようになる。
【００８０】
なお、図１０〜図１３中の点線はサイドシール部１２Ａの下端を示しており、例えば、図１０（ａ）に示す形態の背側外装体１２Ｂでは、胴回り部Ｔ及び中間部Ｌが本発明の側縁部対応領域に、及び中間部Ｌが本発明の側縁部対応領域の下側部分（脚側部分）にそれぞれ相当しており、図１０（ｂ）に示す形態の腹側外装体１２Ｆでは、胴回り部Ｔが本発明の側縁部対応領域に、及び胴回り部Ｔの下側部分（脚側部分）が本発明の側縁部対応領域の下側部分にそれぞれ相当しており、図１１（ａ）に示す形態の背側外装体１２Ｂでは、胴回り部Ｔ及び中間部Ｌが側縁部対応領域に、及び胴回り部Ｔの下端部及び中間部Ｌが側縁部対応領域の下側部分にそれぞれ相当している。また、図１０〜図１３中の点模様部分はホットメルト接着剤を示している。
【００８１】
他方、前述のように、本発明では折り返し及び展開構造により、脚開口部の縁Ｌｅが側縁部に向かって斜め上向きとなるものであるから、敢えて脚回りに沿うように脚開口部の縁Ｌｅを切断せずに、つまり、折り返し部分１２Ｗを展開した状態では腹側外装体１２Ｆ及び背側外装体１２Ｂの形状が長方形となるように構成しても脚周りに沿うようになり、しかもこの場合、後述する製造方法からも分かるように、外装体１２Ｆ，１２Ｂの製造におけるトリムロスを完全に無くすことが可能となる。
【００８２】
中間部弾性伸縮部材１６及び斜め弾性伸縮部材１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸長率１５０〜３００％、特に１８０〜２６０％で固定するのが好ましい。
【００８３】
なお、図示のように、ウエスト下部弾性伸縮部材１５，１８、中間部弾性伸縮部材１６及び斜め弾性伸縮部材１９が、内装体２００と重なる幅方向中央部を除いてその幅方向両側にそれぞれ設けられていると、内装体２００が幅方向に必要以上に収縮することがなく、モコモコと見た目が悪かったり吸収性が低下したりすることがない。この形態には、幅方向両側にのみ弾性伸縮部材が存在する形態の他、内装体２００を横切ってその幅方向一方側から他方側まで弾性伸縮部材が存在しているが、内装体２００と重なる幅方向中央部では弾性伸縮部材が細かく切断され、収縮力が作用せず（実質的には、弾性伸縮部材を設けないことに等しい）に、その幅方向両側のみが収縮力作用部分として構成されている形態も含まれる。もちろん、ウエスト下部弾性伸縮部材１５，１８、中間部弾性伸縮部材１６及び斜め弾性伸縮部材１９の配設形態は上記例に限るものではなく、ウエスト下部Ｕの幅方向全体にわたり伸縮力が作用するように、ウエスト下部弾性伸縮部材１５，１８、中間部弾性伸縮部材１６及び斜め弾性伸縮部材１９の一部または全部を、内装体２００を横切ってその幅方向一方側から他方側まで設けることもできる。
【００８４】
（その他）
上記例は、腹側外装体１２Ｆと背側外装体１２Ｂとが分離された外装二分割構造の例であるが、図１３に示すように、股間を介して腹側から背側まで連続する外装体１２に対して適用することもできる。この連続外装体１２における腹側の領域及び背側の領域は、前述の腹側外装体１２Ｆ及び背側外装体１２Ｂに相当するため、本発明では両者を総称して腹側外装部分及び背側外装部分としたものである。
【００８５】
＜パンツタイプ使い捨ておむつの製造方法例＞
図１４及び図１５は、上述したパンツタイプ使い捨ておむつの製造方法の一例を示している。この製造ラインは、おむつ幅方向がＭＤ方向（マシンディレクション、ライン流れ方向）となる横流れ形態となっており、ここで腹側外装体１２Ｆとなる腹側伸縮帯１２ｆ及び背側外装体１２Ｂとなる背側伸縮帯１２ｂが形成されるとともに、別のラインで製造された内装体２００が腹側伸縮帯１２ｆ及び背側伸縮帯１２ｂに取り付けられる。なお、説明を判り易くするために、製造過程で連続している部材についても、製造後の部材と同じ符号を用いている。
【００８６】
より詳細に説明すると、この製造ラインは、弾性部材取付工程３０１、弾性部材切断工程３０２、切断分割工程３０３、折り返し工程３０４、連結工程３０５、拡幅工程３０６、内装体取付工程３０７、折り畳み工程３０８、及び側部接合工程３０９、切り離し工程３１０を有しており、このうち特に折り返し工程３０４が従来と比べて特徴的な工程となっている。
【００８７】
すなわち、弾性部材取付工程３０１では、所定幅の帯状のシート材１２Ｈをその連続方向に沿って搬送しつつ、このシート材１２ＨにおけるＣＤ方向に間隔を空けてほぼ全体にわたり、糸ゴム等の細長状弾性部材１５〜１９をＭＤ方向に伸張した状態で固定するとともに、その上面に更に所定幅の帯状のシート材１２Ｓをその連続方向に沿って供給し貼り合わせ、伸縮帯を形成する。図示例では、二枚のシート材１２Ｓ，１２Ｈを貼り合わせて弾性伸縮部材１５〜１９を挟持する形態を想定しているが、一枚のシート材を二つ折り又はＣ折りして弾性伸縮部材を挟持することもできる。
【００８８】
次いで、形成した伸縮帯に対して、必要に応じて弾性部材切断工程３０２を行い、ＭＤ方向に所定の間隔を空けて、後に内装体２００と重なる部分ＣＴに位置する弾性伸縮部材１５，１６，１８，１９をヒートエンボス等の切断装置により切断し、当該部分ＣＴにおいて弾性伸縮部材１５，１６，１８，１９の伸縮力が作用しない状態とする。
【００８９】
次に、外装体１２Ｆ，１２Ｂの切断分割工程３０３において、スリッターにより、伸縮体におけるＣＤ方向中間の所定部位ＳＬをＭＤ方向に沿って切断し、腹側伸縮帯１２ｆ及び背側伸縮帯１２ｂに分割し、腹側伸縮帯１２ｆ及び背側伸縮帯１２ｂの間隔を所定距離まで拡大する。このスリット後において、必要に応じて腹側伸縮帯１２ｆ及び背側伸縮帯１２ｂの少なくとも一方のＣＤ方向中央側端縁（脚開口部の縁Ｌｅとなる部分）を曲線状に切り落とすこともできるが、トリムロスを完全になくす場合にはこのような切除は行わない。それでも後述するように脚開口部の縁Ｌｅを斜め方向に沿う形状にすることができる。また、図示例では腹側伸縮帯１２ｆ及び背側伸縮帯１２ｂを一体的な伸縮帯として形成した後、切断分割工程３０３で別々に分割しているが、腹側伸縮帯１２ｆ及び背側伸縮帯１２ｂを別々のシート材を用いて形成することで、切断分割工程３０３を省略することも可能であり、その際にも二枚のシート材を貼り合わせて弾性伸縮部材を挟持する他、一枚のシート材を二つ折り又はＣ折りして弾性伸縮部材を挟持することもできる。
【００９０】
次いで、折り返し工程３０４では、腹側伸縮帯１２ｆ及び背側伸縮帯１２ｂをＣＤ方向に間隔を空けて平行に移送しつつ、背側伸縮帯１２ｂにおける腹側伸縮帯１２ｆ側の縁側部分を、ＣＤ方向に一回又はジグザグに複数回折り返して固定して折り返し部分１２Ｗを形成する。折り返し部分１２Ｗの固定部１２ｋは、ホットメルト接着剤やヒートシール等の適宜の接合手段により形成することができる。図示しないが、本発明の折り返し部分１２Ｗを腹側にも設ける場合には、腹側伸縮帯１２ｆにおける背側伸縮帯１２ｂ側の縁側部分も同様に、ＣＤ方向に一回又はジグザグに複数回折り返して固定して折り返し部分を形成する。前述したように、折り返し部分１２Ｗの折り返し回数は特に限定されないが、偶数とすると、折り返し部分１２Ｗにおける最も先端側の折り目より先端側の部分が、反対の伸縮体側（腹側伸縮体側）に向くため、後述の連結工程で連結部材１２Ｍで折り返し部分１２Ｗを展開する際に連結の剥離方向に力が作用しないため、連結が安定し、捲れや剥離等が発生しにくいという利点がある。
【００９１】
次いで、連結工程３０５では、ＭＤ方向に所定の間隔を空けて、折り返し部分１２Ｗにおける最も先端側の折り目より先端側の部分を、反対側の伸縮帯と連結部材で連結する。すなわち、図示形態のように背側伸縮帯１２ｂに折り返し部分１２Ｗを設ける場合は、背側伸縮体の折り返し部分１２Ｗにおける最も先端側の折り目より先端側の部分を腹側伸縮帯１２ｆと連結部材１２Ｍで連結し、背側伸縮帯１２ｂではなく腹側伸縮帯１２ｆに折り返し部分１２Ｗを設ける場合は、腹側伸縮帯１２ｆの折り返し部分１２Ｗにおける最も先端側の折り目より先端側の部分を背側伸縮帯１２ｂと連結部材で連結し、背側伸縮帯１２ｂ及び腹側伸縮帯１２ｆの両方に折り返し部分１２Ｗを設ける場合は、背側伸縮帯１２ｂの折り返し部分１２Ｗにおける最も先端側の折り目より先端側の部分と腹側伸縮帯１２ｆの折り返し部分１２Ｗにおける最も先端側の折り目より先端側の部分とを連結部材により連結する。この連結はホットメルト接着剤やヒートシール等の適宜接合手段により行うことができる。なお、連結部材１２Ｍは連結専用の部材としても良く、したがってその場合には形状、寸法は特に限定されないが、図示形態ではある程度の幅を有しており、製品では前述の股間部カバーシート１２Ｍとなることを想定しているものである。
【００９２】
連結工程３０５に続いて、拡幅工程３０６では、腹側伸縮帯１２ｆ及び背側伸縮帯１２ｂのＣＤ方向の相対間隔を拡大することにより、折り返し部分１２Ｗのうち連結部材１２Ｍで連結された部分を引っ張って折り返し部分１２Ｗを途中まで又は完全に展開する。これにより斜め方向となった背側伸縮帯１２ｂの縁が脚開口部の縁Ｌｅとなる。
【００９３】
しかる後、内装体取付工程３０７では、予め別ラインで製造しておいた内装体２００をＭＤ方向に所定の間隔を空けて供給し、内装体２００の前側の部分を腹側伸縮帯１２ｆに、及び内装体２００の後側の部分を背側伸縮帯１２ｂに対してそれぞれ接合するとともに、折り返し部分の展開部分を展開状態で内装体２００に固定して、内装組み付け体を形成する。内装体は連結部１２Ｍ材に対しても固定することが望ましい。これらの接合及び固定はホットメルト接着剤やヒートシール等の適宜手段により行うことができる。
【００９４】
そして、折り畳み工程３０８において、腹側伸縮帯１２ｆにおける内装体２００の取り付け面と、背側伸縮帯１２ｂにおける内装体２００の取り付け面とが重なるように、内装組み付け体がＣＤ方向中央で折り畳まれた後、側部接合工程３０９において、個々のおむつの両側部となる部分において腹側伸縮帯１２ｆ及び背側伸縮帯１２ｂが接合されてサイドシール部１２Ａが形成され、切り離し工程３１０において、腹側伸縮帯１２ｆ及び背側伸縮帯１２ｂを個々のおむつの境界において切断されて、個々のおむつＤＰが得られる。側部接合工程３０９及び切り離し工程３１０は同時的に行うことができる。
【００９５】
このようにして製造される使い捨ておむつは、背側外装体１２Ｂにおける内装体２００より側方に位置する脚開口部の縁Ｌｅが側縁部に向かって斜め上向きとなり、かつその縁に沿って斜め弾性伸縮部材１９が伸長状態で固定されているため、脚開口部の縁Ｌｅが装着者の臀部の周囲に沿って緩みなく良好にフィットするようになる。しかも、脚開口部の切断は要しないものであり、外装体１２Ｆ，１２Ｂの製造におけるトリムロスが完全に無いものとなる。また、いわゆる揺動装置を用いなくても、製品状態では斜め方向となる斜め弾性伸縮部材１９を設けることができる。
【００９６】
図１３に示すような股間を介して腹側から背側まで連続する外装体１２を有するパンツタイプ使い捨ておむつを製造する場合は、上述の製造方法における工程３０１〜３１０の中で、少なくとも切断分割工程３０３及び連結工程３０５を設けず、その代わりに、一枚の大きな伸縮帯に対して脚開口部を形成するための打ち抜き工程を設ける。この場合、切離し片は発生するが、連結部材１２Ｍは必要なくなる。なお、この打ち抜き工程は、工程３０１〜３１０の間のいずれの段階に設けてもよいが、弾性部材切断工程３０２と折り返し工程３０４の間とするのが好ましい。
【００９７】
＜明細書中の用語の説明＞
明細書中の以下の用語は、明細書中に特に記載が無い限り、以下の意味を有するものである。
・「前後（縦）方向」とは腹側（前側）と背側（後側）を結ぶ方向を意味し、「幅方向」とは前後方向と直交する方向（左右方向）を意味し、「上下方向」とはおむつの装着状態、すなわちおむつの前身頃両側部と後身頃量側部を重ね合わせるようにおむつを股間部で２つに折った際に胴周り方向と直交する方向、換言すればウエスト開口部側と股間部側とを結ぶ方向を意味する。
【００９８】
・「伸長率」は、自然長を１００％としたときの値を意味する。
【００９９】
・「ゲル強度」は次のようにして測定されるものである。人工尿（尿素：２０ｗｔ％、食塩：８ｗｔ％、塩化カルシウム二水和物：０．３ｗｔ％、酸化マグネシウム七水和物：０．８ｗｔ％、純水：７０．０１ｗｔ％）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【０１００】
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
【０１０１】
・「厚み」は、自動厚み測定器（ＫＥＳ−Ｇ５  ハンディ圧縮計測プログラム）を用い、荷重：１０ｇｆ／ｃｍ2、及び加圧面積：２ｃｍ2の条件下で自動測定する。
【産業上の利用可能性】
【０１０２】
本発明は、パンツタイプ使い捨ておむつ及びその製造において利用可能なものである。
【符号の説明】
【０１０３】
Ｌ…中間部、Ｌｅ…脚開口部の縁、Ｔ…胴周り部、Ｕ…ウエスト下部、Ｗ…ウエスト縁部、１１…液不透過性シート、１２Ａ…サイドシール部、１２Ｂ…背側外装体、１２Ｆ，１２Ｂ…外装体、１２Ｆ…腹側外装体、１２Ｈ…内側シート材、１２Ｍ…股間部カバーシート、１２Ｓ，１２Ｈ…シート材、１２Ｓ…外側シート材、１２Ｗ…折り返し部分、１２ｂ…背側伸縮帯、１２ｃ…ＣＤ方向中間の部分、１２ｄ…離間部分、１２ｅ…縁部シート材、１２ｆ…腹側伸縮帯、１２ｗ…重なり部分、１５〜１９…細長状弾性伸縮部材、１６…中間部弾性伸縮部材、１７…ウエスト縁部弾性伸縮部材、１９…斜め弾性伸縮部材、３０…トップシート、５０…吸収要素、５６…吸収体、５８…包装シート、６０…立体ギャザー、６２…ギャザーシート、２００…内装体、３０１…弾性部材取付工程、３０２…弾性部材切断工程、３０３…切断分割工程、３０４…折り返し工程、３０５…連結工程、３０６…拡幅工程、３０７…内装体取付工程、３０８…折り畳み工程、３０９…側部接合工程、３１０…切り離し工程。
【手続補正２】
【補正対象書類名】特許請求の範囲
【補正対象項目名】全文
【補正方法】変更
【補正の内容】
【特許請求の範囲】
【請求項１】
腹側外装部分及び背側外装部分を有し、前記腹側外装部分の側縁部と前記背側外装部分の側縁部とが幅方向両側で接合されてウエスト開口部が形成された、外装体と、
前側の部分が前記腹側外装部分の幅方向中央領域に、及び後側の部分が前記背側外装部分の幅方向中央領域にそれぞれ接合され、装着者の股間を通るように設けられた内装体と、を備え、
前記外装体における前記内装体の幅方向両側に位置する部分の縁により、脚開口部の縁の少なくとも一部が形成された、パンツタイプ使い捨ておむつにおいて、
前記腹側外装部分及び背側外装部分の少なくとも一方の外装部分では；
前記側縁部と前後方向に対応する側縁部対応領域の下縁における、前記内装体の幅方向両側に位置する部分が、前記脚開口部の縁をなしており、
前記側縁部対応領域の下側部分は、前記側縁部では前後方向に一回又はジグザグに複数回折り返されて固定された折り返し部分とされるとともに、この折り返し部分から幅方向中央側に向かうにつれて折り返しが次第に下側へ展開していき、幅方向中央部では途中まで又は完全に下側へ展開された状態で前記内装体に対して固定され、かつ
前記折り返し部分から前記内装体における前記折り返し部分より下側の側縁へ向かう方向に沿って伸長状態で固定された細長状の斜め弾性伸縮部材が設けられている、
ことを特徴とするパンツタイプ使い捨ておむつ。
【請求項２】
前記外装体は、前記腹側外装部分をなす腹側外装体の両側部と前記背側外装部分をなす背側外装体の両側部とが接合されて形成され、前記腹側外装体と前記背側外装体とが股間側で連続せずに離間されている、請求項１記載のパンツタイプ使い捨ておむつ。
【請求項３】
前記折り返し部分は、前記少なくとも一方の外装部分の内側に折り返されて形成されている、請求項２記載のパンツタイプ使い捨ておむつ。
【請求項４】
前記折り返し部分は、前記少なくとも一方の外装部分の外側に折り返されて形成されている、請求項２記載のパンツタイプ使い捨ておむつ。
【請求項５】
前記少なくとも一方の外装部分は前記背側外装体であり、前記折り返し部分の折り返し回数が偶数とされている、請求項２〜４のいずれか１項に記載のパンツタイプ使い捨ておむつ。
【請求項６】
前記少なくとも一方の外装部分は前記腹側外装体であり、前記折り返し部分の折り返し回数が奇数とされている、請求項２〜４のいずれか１項に記載のパンツタイプ使い捨ておむつ。
【請求項７】
前記少なくとも一方の外装部分の形状は、前記折り返し部分を展開した状態では長方形である、請求項２〜６のいずれか１項に記載のパンツタイプ使い捨ておむつ。
【請求項８】
前記腹側外装部分の側縁部及び背側外装部分の側縁部の接合が溶着によりなされており、かつ少なくとも前記折り返し部分を有する領域では前記溶着による接合がなされていない、請求項２〜７のいずれか１項に記載のパンツタイプ使い捨ておむつ。
【請求項９】
帯状に連続するシート材に、その連続方向に沿って細長状弾性伸縮部材を伸長状態で固定してなる腹側伸縮帯及び背側伸縮帯を形成する伸縮帯形成工程と、
前記腹側伸縮帯及び背側伸縮帯をＣＤ方向に間隔を空けて平行に移送しつつ、少なくとも一方の伸縮帯における反対の伸縮帯側の縁側部分を、ＣＤ方向に一回又はジグザグに複数回折り返して固定して折り返し部分を形成する、折り返し工程と、
この折り返し工程の後に、ＭＤ方向に所定の間隔を空けて、前記折り返し部分における最も先端側の折り目より先端側の部分を、反対側の伸縮帯と連結部材で連結する、連結工程と、
この連結工程の後に、前記腹側伸縮帯及び背側伸縮帯のＣＤ方向の相対間隔を拡大することにより、前記折り返し部分のうち前記連結部材で連結された部分を引っ張って前記折り返し部分を途中まで又は完全に展開する、拡幅工程と、
別途製造した内装体をＭＤ方向に間隔を空けて供給し、前記内装体の前側の部分を前記腹側伸縮帯に、及び前記内装体の後側の部分を前記背側伸縮帯にそれぞれ接合するとともに、前記折り返し部分の展開部分を展開状態で前記内装体に固定して、内装組み付け体を形成する、内装体取付工程と、
この内装組み付け体をＣＤ方向に二つ折りする、折り畳み工程と、
個々のおむつの両側部となる部分において前記腹側伸縮帯及び背側伸縮帯を接合するとともに、前記腹側伸縮帯及び背側伸縮帯を個々のおむつの境界において切断して、個々のおむつを得る、側部接合切り離し工程と、
を含むことを特徴とする、パンツタイプ使い捨ておむつの製造方法。
【請求項１０】
前記折り返し工程で、折り返し回数を偶数とする、請求項９記載のパンツタイプ使い捨ておむつの製造方法。